(57)【要約】　　　（修正有）【課題】タンク又は水槽の底部に溜まった汚泥や半固形又は懸濁した結晶等の固形物を含むスラリーを水上にあるモーターで駆動して汲み上げ、次の工程において濾過性、脱水性を低下する事なく、小型で汲み上げ効率の良いフレッキシブル・ローター式の水中ポンプを提供する。【解決手段】水中にあるポンプの回転軸４を長く水面上まで延長して、モーターの回転軸とブッシュ等の結合具で結合し一体に構成する。ポンプケーシング８の外に貫通した回転軸の下方先端部に取り付けられた攪拌翼２はインペラーと同じように回転し、廃水・廃液の底部に溜まった汚泥をゆるやかに攪拌し、流動しやすくして吸込口より水中ポンプに吸引して揚水する。【選択図】　　　図１
2004084541.tif 000002
【特許請求の範囲】
【請求項１】
水中ポンプ（１）の回転軸（４）を長く地上まで延長して、この回転軸（４）と水上にあるモーター（３）の回転軸とをブッシュ（６）等の結合具で結合し一体に回転させポンプ（１）のインペラ（７）を駆動して揚水する事を特徴とする水中ポンプ。
【請求項２】
請求項１記載の水中ポンプがフレッキシブル・ローターポンプである事を特徴とする水中ポンプ。
【請求項３】
水中ポンプ（１）を貫通して、そのポンプケーシング（８）の外側に出ている回転軸（４）下方先端部に取り付けられた攪拌翼（２）を回転し、廃水・廃液の底部に溜まった汚泥、または生成装置・タンクの水或いは液体中の結晶・半固形状のスラリー懸濁物を攪拌し流動しやすくして、水中ポンプ（１）に吸引して揚水する事を特徴とする請求項１又は２記載の水中ポンプ。
【発明の詳細な説明】
【０００１】
【発明の属する技術分野】
本発明は、タンク又は水槽の底部に溜まった汚泥や半固形又は懸濁した結晶等の固形物を含むスラリーを水上にあるモーターで駆動して汲み上げる事の出来る水中ポンプに関するものである。
【０００２】
【従来の技術】
タンク又は水槽の底部に溜まった汚泥やスラリーを汲み上げるポンプとしては水中モーターポンプが良く使われているが、これらは機構上回転速度の大きい渦巻きポンプであり、生物処理汚泥も、凝集剤で凝集して沈降した汚泥も、このポンプで凝集構造が破砕され濾過性も脱水性も悪くなってしまうという問題がある。
【０００３】
立軸斜流渦巻きポンプ、立軸ディフューザーポンプ等はポンプとモーターを離して使用するため、モーターを水上に置くことが出来る利点がありモーターの保全管理の点優れているが、回転速度の大きいことから同じように汚泥や半固形又は懸濁した結晶等の固形物を含むスラリーの輸送には問題がある。
【０００４】
【発明が解決しようとする課題】
従来の水中モーターポンプ、立軸斜流渦巻きポンプ、立軸ディフューザーポンプ等では、タンク又は水槽の底部に溜まった汚泥や半固形又は懸濁した結晶等の固形物を含むスラリーの濾過性や脱水性に影響のある構造を壊さない様に汲み上げ輸送する事が非常に困難であるという問題があった。
【０００５】
本発明は、タンク又は水槽の底部に溜まった汚泥や半固形又は懸濁した結晶等の固形物を含むスラリーを水上にあるモーターで駆動して汲み上げ、次の工程において濾過性、脱水性を低下する事がなく、小型で汲み上げ効率の良いフレッキシブル・ローター式の水中ポンプを提供することを目的としている。
【０００６】
【課題を解決するための手段】
前記課題を解決するため、この発明では次のような手段を講じている。
【０００７】
（ａ）　水中にある水中ポンプ１の回転軸４を長く水面上まで延長して、この回転軸４と水上にあるモーター３の回転軸とをブッシュ６等の結合具で結合し一体に構成する。ポンプ１のインペラー７を駆動して、水底または液体の底部にあるスラリー又はスラッジ等の半固形物、液体に懸濁した固形物等を吸込口１２より可撓性のあるインペラー７と変形円筒形のポンプ室の働きで吸込み、吐出し口１３より吐出し揚水することが出来る。インペラー７には可撓性、弾力性のある材質、例えば合成樹脂、合成ゴム（ＮＢＲ、バイトン）等が使用できる。
【０００８】
（ｂ）　普通の化学薬品の輸送に用いられているフレッキシブル・ロータポンプと同じようにインペラー７はフレキシブルな弾性体で出来ており、ポンプケーシング８内部の吸込口１２と吐出口１３の間にカムが設けられ、インペラー７の羽根はカムを通過する時圧縮され変形し、カムを離れてもとの形状に復帰する時、真空を発生してポンプの吸込み作用を行なう。吐出口１３では羽根の変形により、部屋の容積を小さくして、液の吐出作用を行なう。このインペラー７は可撓性と弾力性のある材質であるので、汚泥又は固形物などを噛み込んでも、逆転すれば簡単に排除出来る。
【０００９】
（ｃ）　水中ポンプ１の回転軸４はポンプケーシング８の外に貫通していて、その下方先端部に攪拌翼２を取り付ける。攪拌翼２はインペラー７と同じように回転し、廃水・廃液の底部に溜まった汚泥、または生成装置・タンクの水或いは液体中の結晶・半固形状のスラリー懸濁物をゆるやかに攪拌し、流動しやすくして吸込口１２より水中ポンプ１に吸引して揚水することが出来る。
【００１０】
攪拌翼２、インペラー７の回転速度は２０〜２００ｒｐｍの範囲で自在に設定出来るが、５０〜８０ｒｐｍが汚泥、スラリーの輸送、攪拌、濾過、脱水の効率の点から好適である。攪拌翼２の形状はタンク等の大きさ、汚泥、スラリーに対応して決めるが、やや湾曲した長い櫂型翼で緩やかに回転し汚泥、スラリーを回転中心にあるポンプの吸込口１２に集める様に攪拌するのが良い。
【００１１】
【発明の実施の形態】
発明の実施の形態を実施例にもとづき図面を参照して説明する。
【００１２】
（実施例１）
図１は水中ポンプを汚泥タンクに設置した様子を示す斜視図である。汚泥水中にある水中ポンプ１の回転軸４を長く水面上まで延長して、この回転軸４と水上にあるモーター３の回転軸とはブッシュ６等の結合具で結合し一体に構成されている。容積型ポンプ１の吐出口１３はパイプにより水上まで延長されて、次の工程、濾過・脱水装置につながる。
【００１３】
図２は水中ポンプ１の斜視図であり、水面上にあるモーター３と水中にある水中ポンプ１と、それらを連結しているポンプの回転軸４を示している。この図で回転軸４の外側にある保護管１０はモーター３と水中ポンプ１とを連結し支えている。
【００１４】
図３は水中ポンプ１の構成と組み立て方を示す斜視図であり、インペラー７は可撓性、弾力性のある材質としてバイトンを使用している。
ポンプ１のインペラー７を駆動して、水底または液体の底部にあるスラリー又はスラッジ等の半固形物、液体に懸濁した固形物等を吸込口１２より可撓性のあるインペラー７と変形円筒形のポンプ室の働きで吸込み、吐出し口１３より吐出し揚水することが出来る。この図で攪拌翼２はスクリュウ型であるが、図３に示す櫂型でも良い。
【００１５】
図４は実施例１に用いた水中ポンプ１の構成部品とその組み立て方を示す斜視図である。モーター３の回転軸５はブッシュ６によりポンプの回転軸４に結合していて、このポンプの回転軸４はポンプケーシング８内でインペラー７の回転軸であるとともに、ポンプケーシング８の外に突き出して攪拌翼２の回転軸となっている。
【００１６】
（実施例２）
図５は本実施例において、中華料理店の厨房廃水・汚泥槽１７の汚泥を汲み上げて濾過脱水をしてその効果を確かめた時のフローシート図である。厨房廃水は凝集沈殿槽１４で凝集処理され、汚泥槽１７に貯留されている。この汚泥を本願発明の水中ポンプ１で汲み上げ汚泥濾過脱水装置１８で濾過脱水を行なった。
この汚泥濾過脱水装置１８は出願Ｎｏ．Ｈ１０−１９３７７３、Ｈ１０−２５４５２１に基づくものである。
【００１７】
濾過の為の２０ｃｍ幅の不織布シート２０はガイドローラー２１により水平に供給され、垂直に立つ２本の絞りローラー２２で二つに畳まれ上の開いた状に成る。汚泥槽１７から水中ポンプ１で送られてきた汚泥はこの上の開いた袋状の不織布シート２０の上に供給され濾過され、２本の絞りローラー２２により絞り、脱水される。不織布シート２０を牽引ローラー２３により１８０ｍｍ／ｍｉｎの速度で牽引し、汚泥供給量は１７０ｍｌ／ｍｉｎとした。
【００１８】
脱水汚泥はもとの汚泥に対し１０％であり、含水率は８２％であって、従来の通常の方法ではそれぞれ１５％、８９％であったので、本願発明は遥かに優れた結果を示している。
【００１９】
【発明の効果】
本発明は、以上説明したように構成されているので、以下に記載されるような効果を奏する。
【００２０】
（ａ）　請求項１の発明によれば、タンク又は水槽の底部に溜まった汚泥や半固形又は懸濁した結晶等の固形物を含むスラリーの濾過性も脱水性に影響のある構造を壊さない様に汲み上げ輸送する事がタンク又は水槽の底部に溜まった汚泥や半固形又は懸濁した結晶等の固形物を含むスラリーを水上にあるモーターで駆動して汲み上げ、次の工程において濾過性、脱水性を低下する事がなく、小型で汲み上げ効率の良い水中ポンプを提供することができた。
【００２１】
（ｂ）　請求項３の発明によれば、普通の化学薬品の輸送に用いられているフレッキシブル・ロータポンプと同じようにインペラ７はフレキシブルな弾性体で出来ており、インペラー７はフレキシブルな弾性体で出来ており、汚泥、又は固形物などを噛み込んでも、逆転すれば簡単に排除出来る。
【００２２】
（ｃ）　請求項３の発明によれば、攪拌翼２はインペラー７と同じように回転し、廃水・廃液の底部に溜まった汚泥、または生成装置・タンクの水或いは液体中の結晶・半固形状のスラリー懸濁物をゆるやかに攪拌し、流動しやすくして吸込口１２より水中ポンプ１に吸引して揚水することが出来る。
【００２３】
【図面の簡単な説明】
【図１】水中ポンプを汚泥タンクに設置した様子を示す斜視図である。
【図２】実施例１に用いたポンプ１の斜視図である。
【図３】実施例１に用いた水中ポンプ１のインペラー７、攪拌翼２の構成と組み立ての様子を示す斜視図である。
【図４】実施例１に用いた水中ポンプ１の構成部品とその組み立て方を示す斜視図である。
【図５】実施例２の汚泥濾過脱水テストのフローシート図である。
【図６】実施例２の汚泥濾過脱水テストに用いた汚泥濾過脱水装置の斜視図である。
【符号の説明】
１　水中ポンプ
２　攪拌翼
３　モーター
４　ポンプの回転軸
５　モーターの回転軸
６　ブッシュ
７　インペラー
８　ポンプケーシング
９　モーターフレーム
１０　保護管
１１　ポンプカバー
１２　吸込口
１３　吐出口
１４　凝集沈殿槽
１５　凝集剤タンク
１６　凝集剤定量ポンプ
１７　汚泥槽
１８　汚泥濾過脱水装置
１９　不織布シート・ロール
２０　不織布シート
２１　ガイドローラー
２２　絞りローラー
２３　牽引ローラー
２４　駆動モーター
２５　濾液受け皿
２６　濾液排出口
２７　脱水汚泥シート
２８　脱水汚泥シート受器（ポリ袋）
【図１】
2004084541.tif 000003
【図２】
2004084541.tif 000004
【図３】
2004084541.tif 000005
【図４】
2004084541.tif 000006
【図５】
2004084541.tif 000007
【図６】
2004084541.tif 000008